(57)【要約】【課題】  本発明はベンチトップ型電動工具用の開閉式スタンドとその方法を提供する。【解決手段】  スタンド（１４）は、電動工具のベースの下部外周部分（５８）に回動可能に取りつけられた構造部材（６２）を含んでいる。スライド式構造部材（６４）は、下部外周部分とスライド可能かつ回動可能に連結されている。両構造部材の下部先端は、電動工具を支持するための脚を提供している。スタンドがおりたためるように、スライド式部材の上端部は回動式構造部材の上端部へ向けてスライドする。両構造部材は、下部外周部分とほぼ平行な方向に回動され、ロッキング機構によりロックされる。一対のホィールがスタンドと電動工具を移動するために連結されている。【選択図】      図１
2005131785.tif 000002
【特許請求の範囲】
【請求項１】
ベンチトップ型電動工具用の開閉式スタンドであって；第一構造部材、第二構造部材、ロッキング機構及び一対のホィールとを具備する開閉式スタンドであり：
該第一構造部材は、ベースの下部外周部分の第一端部において電動工具の該ベースと回動可能に連結された上端部と、中間部分と、下方のサポート面に置くための少なくとも一つの脚を形成している下部先端部とを有しており；
該第二構造部材は、該電動工具の該ベースの該下部外周部分と回動可能かつスライド可能に連結された上端部と、該第一構造部材の中間部分と回動可能に連結されている中間部分と、該下方のサポート面に置くための少なくとも一つの脚を形成している下部先端部分とを有していて；
該ロッキング機構は、該電動工具に対する該開閉式スタンドの閉状態を維持するために、該開閉式スタンド又は該電動工具に取りつけられており；
該一対のホィールは、該第一構造部材の該第一端部近傍で該ベースに回転可能に連結されている；該開閉式スタンドにおいて、
該開閉式スタンドの開状態が該第二構造部材の上端部と該第二構造部材の下端部とから形成されており、該第二構造部材の上端部は該ベースの該下部外周部分の第二端部近傍に配向されそして該第一構造部材の上端部から離間していて、該第二構造部材の下端部は、該電動工具に安定したサポートを提供するために該第一構造部材の下端部から離間しており；
該開閉式スタンドの閉状態において、該第二構造部材が、該第一構造部材へ向けて収束していて、従って該第二構造部材の上端部は該第一構造部材の上端部へ向けてスライドし、該第二構造部材は該中間部分の回動連結部周囲で該第一構造部材に対して回動し、従って該第二構造部材の下端部が、該第一構造部材の下端部へ向けて移動されており；ロッキング部材により該電動工具に対しロックされ、そして該一対のホィールを用いて該電動工具及び開閉式スタンドとを移動するためにユーザにより使用されるコンパクトに閉じたスタンドが提供されるようになっている；
開閉式スタンド。
【請求項２】
該第一構造部材の長さ及び該第二構造部材の長さとが、該開状態における該開閉式スタンドのフートプランを提供するために十分なものであって、該フートプランは、該下方のサポート面に対する該電動工具の安定したフーティングを提供するために該電動工具のベースのフートプランより広くなっている、請求項１に記載の開閉式スタンド。
【請求項３】
該電動工具のベースに形成された少なくとも一つのトラックであって、該第一構造部材が回動する軸に対してほぼ直交して配向されているトラックと；
該第二構造部材に回動可能に取りつけられ、そして該トラックに対する該第二構造部材の上端部の移動を限定するために該トラックとスライド可能に係合されたスライド部材と；をさらに具備する、請求項１に記載の開閉式スタンド。
【請求項４】
該第一構造部材と該第二構造部材との少なくとも一方が、さらに一対の離間した管状レグを形成している、請求項１に記載の開閉式スタンド。
【請求項５】
ユーザが握るために、該第一構造部材と該第二構造部材との少なくとも一方に形成されたハンドルをさらに具備している、請求項１に記載の開閉式スタンド。
【請求項６】
一対のパッドであって；該一対のパッドが該電動工具、又は電動工具のベースに取り付けられていて、該電動工具のベースは、該一対のホィールから離間しかつほぼ平面になっていて、該平面は該ホィールと交差しかつ該電動工具のベースの該下部外周部分と直交しており；該開閉式スタンドが開閉される場合該電動工具及び該開閉式スタンドとを支持するために、該開閉式スタンド及び該電動工具は、該一対のホィールと該一対のパッドとにより該電動工具の傾斜した方向に正しく支持されるようになっている；一対のパッドをさらに具備している、請求項１に記載の開閉式スタンド。
【請求項７】
該ベンチトップ型電動工具がさらにポータブル式のこぎり台として形成されている、請求項１に記載の開閉式スタンド。
【請求項８】
フレーム構造体であって、該フレーム構造体が、第一端部及び第二端部とを有している一対のほぼ縦部材を含んでいて、該縦部材は少なくとも一つの横部材により相互結合されていて、該フレーム構造体が該電動工具のベースの該下部外周部分に対応する方向に固定されており、該開閉式スタンドの開状態において、該縦部材の第一端部が該第一構造部材の上端部の近傍に配向され、該縦部材の第二端部は該第二構造部材の上端部の近傍に配向されていて、該一対の縦部材各々が自身に形成されたチャンネルを有している、フレーム構造体と；
各々が縦方向移動を限定するための該チャンネルにスライド可能に収容された一対のスライド部材と；をさらに具備していて、
該第一構造部材の上端部が該フレームの第一端部と回動可能に連結されていて、該第二構造部材の上端部が該一対のスライド部材と回動可能に接続されている；請求項１に記載の開閉式スタンド。
【請求項９】
該フレームが該電動工具のベースの下部外周部分と接触する部分を提供している、請求項８に記載の開閉式スタンド。
【請求項１０】
該フレームがほぼ長方形であって、該横部材の少なくとも一つがさらに一対の対向する横部材として形成されている、請求項８に記載の開閉式スタンド。
【請求項１１】
該一対の横部材が、該縦部材の第二端部を相互連結していて、そして該横部材自体に形成されたスロットを有しており、該スロットは該開閉式スタンドの閉状態において該第二構造部材を収容するべく寸法化されている、請求項１０に記載の開閉式スタンド。
【請求項１２】
該第一構造部材が、該フレーム及び該第二構造部材との外側に配向された一対の管状レグをさらに具備している、請求項８に記載の開閉式スタンド。
【請求項１３】
該一対のホィール各々が、該フレームと該第一構造部材の関連するレグと貫通して延在している軸と回動可能に連結されている、請求項１２に記載の開閉式スタンド。
【請求項１４】
該一対のチャンネルが該フレームの面の内側に形成されていて；
該第二構造部材が該フレームの内側に取り付けられた一対のレグをさらに具備し、該レグ各々は、関連する該スライド部材と該第一構造部材の関連する該レグとに回動可能に連結されている；請求項１２に記載の開閉式スタンド。
【請求項１５】
一対のピボットボルトであって、該ピボットボルト各々が、該第一構造部材のレグの一つと該第二構造部材の関連するレグとに取りつけられていて、該レグ間の回動連結を提供し、かつレグ同士をお互いに離間するようになっている、一対のピボットボルトを具備していて；
該フレームが、該開閉式スタンドの閉状態において該ピボットボルトを収容するための一対のスロットを含んでいて、該スロット各々は該縦部材の一つに形成されている；
請求項１４に記載の開閉式スタンド。
【請求項１６】
該一対の第二構造部材のレグをその上端部において相互連結している横クロス部材をさらに具備している、請求項１４に記載の開閉式スタンド。
【請求項１７】
該一対の第二構造部材のレグをその中間部分において相互連結している別の横クロス部材をさらに具備している、請求項１６に記載の開閉式スタンド。
【請求項１８】
一対の該横クロス部材の間の距離が、該フレームの縦方向内のり寸法とほぼ等しい、請求項１７に記載の開閉式スタンド。
【請求項１９】
該ロッキング機構が、該横クロス部材の一つを収容するための、かつ該開閉式スタンドの閉状態又は開状態において、ロックするべく該横クロス部材をラッチ留めするためのスプリング入りラッチとして形成されている、請求項１８に記載の開閉式スタンド。
【請求項２０】
ベンチトップ型電動工具用スタンドを開閉する方法であって、該方法が：
開かれた該スタンドが横方向外向きに延伸するように該電動工具をその側面において傾ける段階と；
回動式構造部材の方向にほぼ平行な方向にスライド式構造部材を移動する段階であって、該回動式構造部材は回動可能に該スタンドのフレームと連結されていて、該フレームは該電動工具のベースに取り付けられており、該回動式構造体部材は回動可能に該スライド式構造部材と連結されている、スライド式構造部材を移動する段階と；
該スライド式構造体及び該回動式構造体とを該フレームと平行な方向に回動する段階と；
該スタンドの閉状態において、該スライド式構造体と該回動式構造体との一つを該フレームにラッチ留めする段階と；
該閉じられたスタンドがほぼ上向きに延伸するように該電動工具をその側面で支持する段階と；
該スライド式構造部材を該フレームに対して固定方向にロックしているラッチから、該スタンドの該スライド式構造部材をラッチ解除する段階と；
該フレームと平行でない方向に該スライド式構造部材と該回動式構造部材とを回動する段階と；
該スタンドの開状態において、該回動式構造部材の方向に対してほぼ発散してゆく方向に該スライド式構造部材を移動する段階と；
を含んでいる方法。
【請求項２１】
該スタンドの開状態において、該フレームに対して該スライド式構造部材と該回動式構造部材との一方をラッチ留めする段階をさらに含んでいる、請求項２０に記載の方法。
【請求項２２】
電動工具と、長方形のフレームと、スライド式部材と、一対の第一レグと、一対の第二レグと、ラッチング機構と、一対のホィールとを具備するポータブル式ベンチトップ型電動工具アセンブリであって：
該電動工具が、動力操作を行なうための上段部分を有していて、かつ下部外周部分を備えたベースを有しており；
長方形の該フレームが該ベースの下部外周部分に取り付けられていて、該フレームは一対の縦部材と一対の横部材とを含んでおり、該縦部材各々が第一端部及び第二端部とを有していて、該縦部材各々はそれに形成された内側に対面しているチャンネルを含んでおり；
該スライド式部材が該チャンネル各々に収容されていて；
該一対の第一レグ各々が上端部と中間部分と下部先端部とを有していて、該上端部は該フレームの外側に配置され、そして回動可能に該フレームの縦部材の第一端部と連結されており、該下部先端部は下方のサポート面に置くために脚を形成していて；
該一対の第二レグ各々が、上端部と中間部分と下部先端部とを有していて、該上端部は、該フレームの内側に配置され、そして回動可能に該スライド式部材の一つと連結されており、該中間部分は回動可能に関連する第一レグと連結されていて、該下部先端部は下方のサポート面に置くために脚を形成しており；
該ラッチング機構は、該フレームに対して該スタンドの閉状態と開状態とを維持するためのものであって、フレームに取りつけられていて；
該一対のホィールは、回転可能に該一対の第一レグの該上端部近傍で該フレームと連結されている；ポータブル式ベンチトップ型電動工具アセンブリにおいて、
該スタンドの開状態が該フレームの該第二端部において配向された該一対の第二レグの該上端部により形成されていて、そして該一対の第二レグの該下部先端部が、該電動工具を安定に支持するために該フレームの縦部材の第一端部の外側に配向されていて、該一対の第二レグは、該スライド式部材が該フレームの縦部材の第二端部から第一端部へスライドされる場合、該一対の第一レグへ向けて収束しており、そして該一対の第一レグと第二レグとは、コンパクトな閉じたスタンドを提供するために該フレームと平行な方向に回動されていて、該スタンドは、該ロッキング部材により該フレームに対してロックされ、そして該一対のホィールを用いて該電動工具を移動するためにユーザにより使用されている；
ポータブル式ベンチトップ型電動工具アセンブリ。
【発明の詳細な説明】
【技術分野】
【０００１】
本発明は、開閉式スタンド、特にベンチトップ型電動工具用の開閉式スタンド及びその方法に関する。
【背景技術】
【０００２】
従来技術は、ベンチトップ型電動工具を支持するための種々のスタンドを教示している。例えば、従来技術は、使用しない場合にスタンドを移動するためのコンパクトでほぼ平面的な構造体に閉じることができる開閉式スタンドを教示している。従来のベンチトップ型電動工具スタンドは、電動工具の作動時に比較的安定したサポートのために、電動工具を支持しそして電動工具をスタンドに取りつける特徴となっている。そのような従来技術の欠点は、スタンドをコンパクトにすることを容易にするために、安定性がスタンドのサイズにより限定されていることである。
【０００３】
従来技術は、おりたたみ式作業ベンチも教示していて、その作業ベンチは、電動工具を支持するためのものであり、電動工具とは分離している。
【特許文献１】米国特許第６３６０７９７号明細書
【特許文献２】米国特許出願公開第１０／６４９２２０号明細書
【発明の開示】
【発明が解決しようとする課題】
【０００４】
本発明の目的は、ベンチトップ型電動工具用の開閉式スタンドを提供することであり、その開閉式スタンドはベンチトップ型電動工具を支持するために安定なものであるけれども十分にコンパクトであり、そして電動工具を移動するために容易におりたたむことができるものである。
【課題を解決するための手段】
【０００５】
本発明の実施形態は、ベンチトップ型電動工具用の開閉式スタンドを提供することである。
スタンドは第一構造部材を含んでいて、該第一構造部材は、ベースの下部外周部分の第一端部において電動工具の該ベースと回動可能に連結された上端部を有している。第一構造部材は、下方のサポート面に置くための少なくとも一つの脚を形成している下部先端部を含んでいる。
スタンドはさらに第二構造部材を含んでいて、該第二構造部材は、該電動工具の該ベースの該下部外周部分と回動可能かつスライド可能に連結された上端部を有している。第二構造部材は、該下方のサポート面に置くための少なくとも一つの脚を形成している下部先端部を含んでいる。第二構造部材の中間部分は回動可能に第一構造部材の中間部分と連結されている。該一対のホィールが、該第一構造部材の該第一端部近傍で該ベースに連結されている。スタンドの開状態において、該第二構造部材の上端部が、該ベースの該下部外周部分の第二端部近傍に配向され、該第一端部から離間している。上端部のスペースと、第一及び第二構造部材との中間部分の連結とにより、該第一構造部材の下端部は、該電動工具に安定したサポートを提供するために、同様に離間している。スタンドをおりたたむ場合、該第二構造部材の上端部は該第一構造部材の上端部へ向けて収束し、第一及び第二構造部材はお互いに向かってほぼ収束し、おりたたんだスタンドが提供されるようになっている。第一及び第二構造部材とがロッキング部材により該電動工具に対しロックされ、そして該一対のホィールを用いて該電動工具及び開閉式スタンドとを移動するためにユーザにより使用される。
【０００６】
スタンドのさらなる実施形態において、広げた方向におけるフロアー上でのスタンドのフートプランが提供されていて、そのフートプランは、関連する電動工具のベースのフープランより広い。
【０００７】
本発明の他の実施形態において、第二構造部材のスライド可能な係合を容易にするためのトラックが電動工具内に提供されている。
【０００８】
本発明の他の実施形態において、電動工具をスタンドに安定に支持するためのフレームが、電動工具のベースの下部外周部分に提供されている。
【０００９】
本発明の実施形態において、ベンチトップ型電動工具用スタンドを閉じる方法が提供されていて、該方法が：該電動工具をその側面において傾ける段階と；スライド式構造部材をラッチ留め解除する段階と；回動式構造部材の方向にほぼ平行な方向にスライド式構造部材を移動する段階であって、該回動式構造部材はフレームとスライド式構造部材とに連結されている、スライド式構造部材を移動する段階と；該スライド式構造体及び該回動式構造体との両者を該フレームと平行な方向に回動する段階と；該スタンドのおりたたんだ位置において、該スライド式構造体及び該回動式構造体との一つを該フレームにラッチ留めする段階と；を含んでいる。
【００１０】
本発明のさらなる実施形態においてスタンドを開く方法が提供されている。該方法が：該電動工具をその側面で支持する段階と；該フレームと平行でない方向に該スライド式構造部材と該回動式構造部材とを回動する段階と；フレーム及びスライド式構造部材との両方に回動可能に連結されている該回動式構造部材の方向に対してほぼ発散してゆく方向に該スライド式構造部材を移動する段階と；該両構造部材の一方を該フレームとラッチ留めする段階と；を含んでいる。
【００１１】
本発明における、前述の実施形態及び他の実施形態と、目的と、特徴と利点とは、添付図面を参照した以下の発明を実施するための最良の形態により明瞭になるであろう。
【発明を実施するための最良の形態】
【００１２】
図１において、好適な実施形態のポータブル型電動工具アセンブリが全体として符号１０で付番されている。ポータブル型電動工具アセンブリ１０が、ポータブル型のこぎり台１２のような好適な実施形態として図示されているベンチトップ型電動工具と、下方のサポート面１６に対してのこぎり台１２を支持しているものとして図示されている開閉式スタンド１４とを含んでいる。のこぎり台１２は従来型のポータブル型のこぎり台と同様なものであって、その従来型のポータブル型のこぎり台は、作業現場で一般的に使用するもので、一般にのこぎり台の携帯性が、操作前の設定と使用後の清掃を容易に行なえるようになっている。
【００１３】
詳しくは、好適な実施形態におけるのこぎり台１２は一般に工作物を支持用のプレーナテーブル１８を含んでいる。ベース２０が、のこぎり台１２の作動エレメントを収容するために、かつテーブル１８を支持するために備えられている。のこ刃２２がモータ（図示されていない）により駆動されるスピンドル（図示されていない）に取りつけられていて、モータはベース２０の中に収納されている。のこ刃２２は、切断操作を行うためにテーブル１８に形成されたスロット２４を貫通して延在している。テーブル１８がマイタゲージ２８を収容するために形成された複数のチャンネル２６を含んでいて、そのマイタゲージ２８は工作物をのこ刃に対して位置決めするために使用される。のこぎり台は、それに沿ってリップフェンス３２を支持するための長手方向レール３０を含んでいる。リップフェンス３２は、工作物をスライドするための、リップフェンス３２とのこ刃２２との間の範囲を規定するために備えられている。のこぎり台１２は、さらにテーブル１８により提供された長手方向サポートエリアを拡張するためのスライドテーブルエクステンション３４を含んでいる。工作物支持用の外送りサポート３６がのこ刃２２の外送り側に備えられている。
【００１４】
好適な実施の形態ののこぎり台１２はのこ刃２２をおおうためのブレードガードアセンブリ３８を含んでいる。ブレードガードアセンブリ３８は、さらにのこ刃２２の切りみぞに同寸法で整列されたライビングナイフ（riving knife）４０を含んでいて、のこ刃２２の外送り側における切断工作物のスペースを維持するようになっている。のこ刃２２が工作物を外送り側から内送り側の方向に押すことを防止するために、複数のキックバック防止つめ４２が備えられている。
【００１５】
好適な実施の形態ののこぎり台１２は、複数の調整装置を含んでいる。スイッチ４４が、のこ刃２２を駆動するモータに選択的に電力を供給するために備えられている。さらにブレード調節ハンドル４６が、テーブル１８に対するのこ刃２２の高さを調節するために備えられている。ベベル調節ハンドル４８がのこ刃２２のベベル角度を調節するために備えられていて、そのベベル角度はのこぎり台表面１８に直交する方向からのオフセット角度として規定されるものである。詳細には、のこ刃２２は、テーブル１８に対して直交的なものとして、かつ０°のベベル角度として図１に図示されている。ベベルロッキングレバー５０も、ベベル角度を維持するために備えられている。
【００１６】
図１及び２において、開閉式スタンド１４がより詳細に図示されている。開閉式スタンド１４が、一対の縦部材５４と一対の横部材５６とにより形成されたほぼ長方形のフレーム５２を含んでいる。フレーム５２はベースの下部外周部分５８に収容されるように寸法化されている。好適な実施の形態におけるベース２０は、プラスチックの射出成形により形成されていて、ほぼ中央でほぼ一定の厚みを有している。従ってベース２０の下部外周部分５８は、好ましくは接触部分を介してフレーム５２に載置され支持されていて、のこぎり台１２の荷重及びそれによりフレーム５２に引き起こされる振動を均一に分散し、さらにスタンド１４を介してこれらの荷重を分散するようになっている。複数の留め具６０がベースの下部外周部分５８をフレーム５２に取り付けるために備えられている。
【００１７】
フレーム５２は、回動式サポート部材６２及びスライド式サポート部材６４とにより支持されている。回動式サポート部材６２は一対の回動式サポートレグ６６，６６′を備えていて、各々は回動式サポート上端部７０，７０′においてフレーム５２の第一長手端部６８と回動可能に接続されている。回動式サポートレグ６６，６６′の回動式サポート上端部７０，７０′各々は、フレーム５２、即ちフレーム５２の横方向外側、即ちベースの下部外周部分５８の横方向外側に取り付けられている。好適な実施の形態のスタンド１４が軸７２を含んでいて、軸７２はフレーム５２を横方向に、すなわち横部材５４から横方向外側に貫通して延伸していて、第一構造部材の上端部７０，７０′をベースの下部外周部材５８から離間するようになっている。さらに一対のホィール７４が備えられていて、各々は軸７２の先端部に対向して取りつけられており、ポータブル型電動工具アセンブリ１０ユニットとしてののこぎり台１２及びスタンド１４をスタンド１４の閉状態に移動するようになっている。回動式サポート部材６２の回動式サポートレグ６６，６６′は、スタンド１４の開状態において下向き方向に延伸していて、フレームの第二長手端部７６へ向かう方向に長手方向に延伸している。回動式サポートレグ６６，６６′各々は回動式サポート下端部７８，７８′において終点となっていて、各々が下方のサポート面１６に静止させるための脚を形成している。
【００１８】
スライド式サポート部材６４が一対の離間したサポートレグ８０，８０′を含んでいる。各スライド式サポートレグ８０，８０′のスライド式サポート上端部８２，８２′はフレーム５２の縦部材５４と回動可能かつスライド可能に接続されている。図３及び２において、フレーム５２の各縦部材５４がその中に形成されたチャンネル８４を有している。各チャンネル８４は、縦部材５４に沿った長手方向に移動するスライド式部材８６を収容している。スライド式サポート上端部８２，８２′のチャンネル８４に沿っての直線移動を限定するように、そしてスライド式サポートレグ８０，８０′がスライド式部材８６に対して回動できるように、各スライド式サポートレグ８０，８０′のスライド式サポート上端部８２，８２′は、それぞれのスライド式部材８６と連結されている。
【００１９】
回動式サポートレグ６６，６６′は、関連するスライド式サポートレグ８０，８０′中間部分において両レグと回動可能に連結されている。回動式サポートレグ６６，６６′及びスライド式サポートレグ８０，８０′との回動可能な連結は一対の回動ボルト８８，８８′により容易なものとなっている。回動ボルト８８，８８′は、一対のレグがそれぞれの中間部分周囲をお互いに対してはさみのように回動することを可能にしている。さらに各回動ボルト８８，８８′は、それぞれの回動式サポートレグ６６，６６′とスライド式サポートレグ８０，８０′との間に離間した連結部を提供していて、干渉をさけるために関連する縦部材５４の厚みを収容するようになっている。スロット９０が各縦部材５４及びベース２０の下部外周部分５８に形成されていて、スタンド１４の閉状態における回動ボルト８８，８８′用のすき間を提供するようになっている。スロット９０はチャンネル８４内部におけるスライド式部材８６の移動を妨害しないようになっている。というのは、スロット９０がスライド式部材８６の長手方向長さより相対的に小さな長手方向幅となっているからである。さらに、各スロット９０は、一対の案内エッジ９２を含んでいて、スライド式部材８６がスロット９０内で詰ったり跳ね上ったりすることを防止するようになっている。
【００２０】
第二長手フレーム端部７６に沿って配向された、横部材５６が、一対のスロット９４を含んでいて、そのスロット９４は、スタンドの閉状態においてスライド式サポートレグ８０，８０′にすき間を提供するためのものである。
【００２１】
開閉式スタンド１４は、開閉式スタンド１４及びのこぎり台１２との移動を容易にするための比較的コンパクトな開閉式アセンブリにもかかわらずのこぎり台１２用の比較的安定したサポートを提供している。スライド式サポートレグ８０，８０′各々は、下端部９６，９６′で終点となっていて、下方のサポート面１６に置くための脚を形成している。回動式レグ下端部７８，７８′，９６，９６′の少なくとも一つ、特に回動式サポートレグ下端部７８が、下方のサポート面１６に対してスタンド１４を安定化するための、かつ不規則あるいは不一致な面に対処するための整準脚（leveling foot）９８を備えている。
【００２２】
従来技術が、スタンド及び電動工具との両方を容易に移動するために電動工具に取り付けられた、アセンブリにおりたためるベンチトップ型電動工具用の開閉式スタンドを含んでいる。しかしながら、そのような従来技術における開閉式スタンドは、コンパクトに収納するためにスタンド自体における安定性を犠牲にしている。例えば、従来技術が、一対のサポート部材を有している開閉式スタンドを含んでいて、そのサポート部材は工具のベースの下方でお互いに独立的に開閉できるようになっている。例えば特許文献１が電動工具とポータブル式サポートとアセンブリを開示していて、ここに参考としてその全体を包含するものである。対照的に、本発明におけるスタンド１４は、スタンドの安定性を強化するために、回動式サポート部材６２とスライド式サポート部材６４とを相互接続している。従来技術は、中間部分で回動可能に連結された一対の交差したサポート部材を含んでいる。しかしながら、コンパクトに収納するためにスタンドが閉じられ従って全体長が限定されるようにサポート部材の下端部は散開される。対照的に、本発明におけるサポート部材６２，６４は、コンパクト性を強化するために、縦部材５４に備えられたトラックにより上端部７０，８２及び下端部７８，９６とにおいて、閉じている。
【００２３】
従って開閉式スタンド１４のレグ６６，６６′，６８，６８′は、開閉式スタンド１４がベース２０のフートプラン（foot plan）より大きな全体フートプランとなるように十分の広さを備えている。例えば、開閉式スタンド１４の開状態において、寸法ｄ1で表示されるレグ下端部７８，９６の全体長手移動量は、ベース２０の長手全体長さ寸法ｄ2より十分に大きい。ベース１４の全体横方向寸法は、寸法ｄ3で表示されていて、対応するベース２０の全体横方向寸法ｄ4より大きい。このより大きな横方向寸法ｄ3は、フレーム５２の横方向外側に設定されている回動式サポートレグ６６，６６′により提供されている。スライド式サポート下端部９６，９６′の横方向寸法はほぼｄ3に等しい。というのはスライド式サポート下端部９６，９６′は、回動式サポート部材６２のフーティングと釣り合うべく横方向外側に曲げられている。従って、開閉式スタンド１４はのこぎり台１２に対して安定したサポートを提供していて、レグは、相互接続され、そしてフートプランはのこぎり台１２の寸法により限定されていない。そのような安定性をさらに強化するために、スライド式サポート部材６４が、第一クロスメンバ１００と、第二クロスメンバ１０２とを含んでいて、第一クロスメンバ１００は、スライド式サポート上端部８２を相互連結していて、第二クロスメンバ１０２は、スライド式サポートレグ８０をその中間部分において詳しくはレグの回動式連結部の下方において相互接続している。
【００２４】
図４に図示されるように、のこぎり台１２及び開閉式スタンド１４は、スタンド１４を開閉できるようにのこぎり台１２の第一長手端部６８に載置されてもよい。のこぎり台１２は一対のテーブル１８に取りつけられたバンパーパッド１０４を含んでいる。パッド１０４はほぼホィール７４と整列されているので、パッド１０４及びホィール７４が下方サポート面１６に置かれる場合下部外周部分５８は、ほぼ垂直に延伸するようになっている。ベース２０の第二長手端部７６が、リップフェンス３２を保持するためのブラケットと、マイターゲージ２８（図４に図示されていない）とを含んでいて、マイターゲージ２８は、セットアップ時、おろす時そして移動する時に、これらのアクセサリをポータブル型電動工具アセンブリ１０に対して保持するためのものである。
【００２５】
開閉式スタンド１４は、スライド式サポート上端部８２，８２′がトラックに沿って第二長手端部７６から第一長手端部６８へ移動するように閉じられる。スライド式上端部８２，８２′が回動式サポート上端部７０，７０′と互いに収束するので、回動式サポート部材６２及びスライド式サポート部材６４はほぼ平行方向に収束する。従って回動式サポートレグ６６，６６′各々が中間部分に形成されたベンドを含んでいて、回動式サポート下端部７８，７８′が横方向外側にフレアの付いたスライド式サポート下端部９６用のすき間を提供するためにオフセットするようになっている。続いて回動式及びスライド式サポート部材６２，６４がほぼ平行に回動され、そしてベース２０の下部外周部分５８とほぼ平行かつ整列され、そしてそこで所定位置にロックされる。図５において、開閉式スタンド１４が、完全に閉状態で図示されていて、従ってユーザは、サポートレグ下端部７８，９６，７８′，９６′を握ってホィール上のポータブル型電動工具アセンブリ１０を下方のサポート面１６に沿って運搬することができる。従って開閉式スタンド１４はのこぎり台１２を支持し移動するのに役立っている。のこぎり台１２を移動するのに使用されない開閉式スタンドの例が特許文献２に開示されていて、その全体をここに参考として包含するものである。
【００２６】
図６Ａ−６Ｇにおいて、好適な実施の形態における開閉式スタンド１４を広げる方法が詳細に図示されている。図６Ａにおいて、開閉式スタンド１０は第一長手端部６８に載置されている。開閉式スタンド１４は、さらにロッキング機構、より詳しくは開閉式スタンド１４を閉状態にロックするためのばね付勢式ラッチ１０６を備えている。ラッチ１０６は、第二長手端部７６においてフレーム５２に取り付けられ、そして開閉式スタンド１４の閉状態において第二クロスメンバ１０２と協働している。第一段階は、ユーザがラッチ１０６をユーザ自身に向けて押さえ、従って第二クロスメンバ１０２を解除し、そして回動式サポート部材６２及びスライド式サポート部材６４が回動してフレーム５２から離れることを可能にしている。図６Ｂにおいて、ユーザは回動式サポート部材６２及びスライド式サポート部材６４とを下方のサポート面１６に向けて回動させる。図６Ｃにおいて、ユーザがスライド式サポート上端部をトラック（図示されていない）内において上向きに押し、続いてユーザが、回動式サポート下端部７８に形成されたグリップハンドル１０８を握って、回動式サポート部材６２を下方サポート面１６から引きはなす。図４に図示するように、グリップハンドルは、クロスメンバに備えられていてもよい。回動式サポート部材６２のこの回動は、スライド式サポート上端部８２がトラック内で第二長手フレーム端部に向けて移動するようにしている。のこぎり台１２が、さらにテーブル１８の下側に取りつけられたティルト・ハンドル１１０を含んでいる。ユーザは、のこぎり台１２に対して傾むくのを防止するためにリアクションサポートを提供するべく、開閉式スタンド１４を広げる際にティルト・ハンドル１１０を握むことができる。
【００２７】
図６Ｄにおいて、レグが完全な開状態に達した場合、好ましくは、第一クロスメンバ１００がラッチ１０６と係合しそこでロックされる。開状態でロッキングすることは、本発明の実施にあたり選択的なものであり必要なものではない。図６Ｅにおいて、ユーザはティルト・ハンドル１１０及びグリップ・ハンドル１０８とを握って、そしてのこぎり台１２を回動させ、開閉式スタンド１４をスライド式下端部９６，９６′周囲で開き、図６Ｇに図示するように回動式サポート下端部が下方のサポート面１６と接触するまで、図６Ｆに図示するようにのこぎり台１２を地上から傾ける。図６Ｇにおけるポータブル式電動工具の方向において、のこぎり台１２が切断操作に使用されてもよい。
【００２８】
ポータブル型電動工具アセンブリ１０の使用が終った場合、ユーザは、開閉式スタンドを作業現場から運び出すためにおりたたむことができる。図７Ａ−７Ｇにおいて、開閉式スタンド１４を閉じる方法が詳細に図示されている。図７Ａにおいて、ユーザはティルト・ハンドル１１０を握み、そしてスライド式サポート下端部９６周囲でのこぎり台１２及び開閉式スタンド１４とを傾けることができる。
【００２９】
図７Ｂにおいて、のこぎり台１２及び開閉式スタンド１４とが傾きはじめ、ユーザは、図７Ｃに図示するように、のこぎり台１２及び開閉式スタンド１４とが第一長手端部６８において傾ける場合、のこぎり台１２を安定にサポートするためにグリップハンドル１０８を握ることができる。
【００３０】
図７Ｄにおいて、ユーザはグリップハンドル１０８を握って、（もしユニットが開状態の場合）ラッチを付勢することにより開閉式スタンド１４を解除する。続いて、ユーザは、スライド式サポート上端部８２が第一長手端部６８に移動するまで、回動式サポート部材６２を図７Ｅに図示するように下方サポート面に向けて回動する。続いて、図７Ｆに図示するようにユーザは回動式サポート部材６２及びスライド式サポート部材６４との両方をフレーム５２に向けて回動し、図７Ｇに図示するように開閉式スタンド１４をフレーム５２と平行方向にロックする。この閉状態において、ユーザはホィール上７４のポータブル型電動工具アセンブリ１０を移動することができる。
【００３１】
図８において、ラッチ１０６は拡大され部分断面図として図示されている。ラッチ１０６は、取り付けブラケット１１２を含んでいる。フレーム５２の第二長手端部７６において横方向部材５６に取りつけられている。長手レバー１１４が、そこから延伸しているラッチグリップ部分１１６を有していて、ユーザにより付勢されるようになっている。レバー１１４が、取り付けブラケット１１２に対する横方向移動を限定するために一対のスロット１１８により固定されていて、一対のスロット１１８は、取り付けブラケット１１２に取りつけられている一対のピン１２０周囲で移動するためにレバー１１４に形成されている。ばね１２２が、レバー１１４をロック位置に横方向に付勢するために取りつけブラケット１１２の中に設置されている。レバー１１４の内側端部がラッチ肩１２４及び外側案内エッジ１２６を含んでいる。図８に図示するように、第一クロスメンバ１１０がそこに固定されたループ１２８を含んでいる。第一クロスメンバ１００がラッチ１０６に向かって移動する場合、ループ１２８は案内エッジ１２６と係合し、従ってレバー１１４を解除方向に横方向へ持ち上げる。ループ１２８が案内エッジ１２６を通過し、ラッチ肩１２４に収容されると、ばね１２２はレバー１１４をロック位置へ戻し、従ってループ１２８及び第一クロスメンバ１００を横方向部材５６に対して第二長手フレーム端部に保持する。第一クロスメンバ１００は、ユーザによりラッチグリップ部分に作用された力でラッチ１０６からはずすことができ、したがってばね１２２によりもたらされた付勢に打ちかつことができる。
【００３２】
図９において、スライド式サポート部材６４がレグ８０，８０′に垂直な方向から見て図示されている。第一及び第二クロスメンバ１００，１０２各々がラッチと係合するためのループ１２８，１３０を含んでいる。第一クロスメンバ１００におけるループ１２８は開閉式スタンド１４を開状態に対してロックするために使用される。第二クロスメンバ１０２におけるループ１３０は開閉式スタンド１４を閉状態に対してロックするために使用される。第一及び第二クロスメンバ１００，１０２は、前述の方向、詳しくは完全におりたたんだ方向と完全に開状態においてラッチと協働するために、フレーム５２の内側長手寸法とほぼ等しい距離だけ離間している。
【００３３】
要約すると、本発明は、閉状態において比較的コンパクトな安定した開閉式スタンド１４により構造的に支持されたポータブル型電動工具アセンブリ１０を提供することである。本発明は、開閉式スタンド１４が結合される電動工具と独立的に提供することができ、好適な実施の形態に開示されたように電動工具と共にアセンブリーとして提供することができることを意図しているものである。
【００３４】
本発明の実施形態が図示され説明されてきたが、これらの実施形態は本発明の可能なすべての実施形態を図示し説明することを意図したものではない。明細書に使用された用語は説明用のものであって限定するためのものではない。さらに、本発明の精神及び範囲から逸脱することなく種々の変更がなされてもよいことは理解されるであろう。
【図面の簡単な説明】
【００３５】
【図１】図１は、本発明における開閉式スタンドを有しているポータブル型ベンチトップ電動工具の斜視図である。
【図２】図２は、図１におけるポータブル型電動工具アセンブリの部分拡大斜視図である。
【図３】図３は、図２における矢視３−３から見た部分拡大断面図である。
【図４】図４は、図１のポータブル型電動工具アセンブリにおける斜視図であって、その側面に支持された電動工具を図示している。
【図５】図５は、図１のポータブル型電動工具アセンブリにおける斜視図であって、使用者が移動している際のものである。
【図６Ａ】図６Ａは、図１における開閉式スタンドを開く方法を図示している。
【図６Ｂ】図６Ｂは、図１における開閉式スタンドを開く方法を図示している。
【図６Ｃ】図６Ｃは、図１における開閉式スタンドを開く方法を図示している。
【図６Ｄ】図６Ｄは、図１における開閉式スタンドを開く方法を図示している。
【図６Ｅ】図６Ｅは、図１における開閉式スタンドを開く方法を図示している。
【図６Ｆ】図６Ｆは、図１における開閉式スタンドを開く方法を図示している。
【図６Ｇ】図６Ｇは、図１における開閉式スタンドを開く方法を図示している。
【図７Ａ】図７Ａは、図１における開閉式スタンドを閉じる方法を図示している。
【図７Ｂ】図７Ｂは、図１における開閉式スタンドを閉じる方法を図示している。
【図７Ｃ】図７Ｃは、図１における開閉式スタンドを閉じる方法を図示している。
【図７Ｄ】図７Ｄは、図１における開閉式スタンドを閉じる方法を図示している。
【図７Ｅ】図７Ｅは、図１における開閉式スタンドを閉じる方法を図示している。
【図７Ｆ】図７Ｆは、図１における開閉式スタンドを閉じる方法を図示している。
【図７Ｇ】図７Ｇは、図１における開閉式スタンドを閉じる方法を図示している。
【図８】図８は、図１の開閉式スタンドにおけるラッチ機構の部分的に断面した拡大平面図である。
【図９】図９は、図１の開閉式スタンドにおける構造部材の一つの側面図である。
【符号の説明】
【００３６】
１０    ポータブル型電動工具アセンブリ
１２    のこぎり台
１４    開閉式スタンド
２２    のこ刃
５２    フレーム
５４    横部材
５８    ベースの下部外周部分
６６，６６′    サポートレグ
８０，８０′    スライド式サポートレグ
６２    回動式サポート部材
６４    スライド式
【図１】
2005131785.tif 000003
【図２】
2005131785.tif 000004
【図３】
2005131785.tif 000005
【図４】
2005131785.tif 000006
【図５】
2005131785.tif 000007
【図６Ａ】
2005131785.tif 000008
【図６Ｂ】
2005131785.tif 000009
【図６Ｃ】
2005131785.tif 000010
【図６Ｄ】
2005131785.tif 000011
【図６Ｅ】
2005131785.tif 000012
【図６Ｆ】
2005131785.tif 000013
【図６Ｇ】
2005131785.tif 000014
【図７Ａ】
2005131785.tif 000015
【図７Ｂ】
2005131785.tif 000016
【図７Ｃ】
2005131785.tif 000017
【図７Ｄ】
2005131785.tif 000018
【図７Ｅ】
2005131785.tif 000019
【図７Ｆ】
2005131785.tif 000020
【図７Ｇ】
2005131785.tif 000021
【図８】
2005131785.tif 000022
【図９】
2005131785.tif 000023
【外国語明細書】
2005131785000001.pdf